(57)【要約】【課題】入力装置に対する表示画面の向きを変更しても、入力装置の操作性を損なわない。【解決手段】表示処理装置１１の演算処理装置１５は、第１及び第２リミットスイッチ１８，１９のいずれかのオンに基づいて、表示処理装置１１の画面１３ａが縦長及び横長のいずれに配置されたかを判定し、画面１３ａ上の文字や数字等を縦長の画面１３ａに対して横方向に配列表示したり、画面１３ａ上の文字や数字等を横長の画面１３ａに対して横方向に配列表示する。この結果、入力装置１２の向きと表示内容の向きが合って、入力装置１２の操作が損なわれずに済む。【選択図】図１
2004199278.tif 000002
【特許請求の範囲】
【請求項１】
入力装置本体と、
入力装置本体に連結されるアームと、
アーム端部に回転可能に支持された表示装置と、
入力装置本体及び表示装置間で情報を伝達する情報伝達手段と、
入力装置本体に対する表示装置画面の向きに応じて表示装置画面上の表示内容の向きを変更する表示制御手段と
を備えることを特徴とする情報端末装置。
【請求項２】
入力装置本体に対する表示装置画面の向きを検出する検出手段を備え、
表示制御手段は、検出手段の検出出力に応じて表示装置画面上の表示内容の向きを変更することを特徴とする請求項１に記載の情報端末装置。
【請求項３】
アームが伸縮可能であることを特徴とする請求項１に記載の情報端末装置。
【請求項４】
入力装置本体と表示装置がアーム部位で脱着可能であることを特徴とする請求項１に記載の情報端末装置。
【発明の詳細な説明】
【０００１】
【発明の属する技術分野】
本発明は、表示画面の向きを変更することが可能な情報端末装置に関する。
【０００２】
【従来の技術】
この種の従来の装置では、縦横の長さが異なる長方形の表示画面を有しており、表示画面の向きを変更して、この表示画面を縦長及び横長のいずれかで用いている。ところが、表示画面を縦長や横長で用いることができても、表示内容（文字や図形等）の向きがキーボード等の入力装置の向きと食い違っていると、入力装置の操作が行ない難くなる。
【０００３】
このため、例えば特許文献１には、入力装置の端を処理装置本体に回転自在に支持し、入力装置を回転させることにより、入力装置を表示内容と同じ向きにするという技術が開示されている。
【０００４】
また、表示内容と同じ向きの入力装置を表示画面上に表示し、入力装置の操作を表示画面に重ねられたタッチセンサーにより検出するという技術もある。
【０００５】
【特許文献１】
特開昭６２−２７８０６６号公報
【０００６】
【発明が解決しようとする課題】
しかしながら、特許文献１の技術では、入力装置を処理装置本体に対して回転させると、入力装置が処理装置本体から離れてしまって、入力装置が安定的に支持されず、入力装置の操作が困難になった。
【０００７】
また、入力装置を表示画面に表示する場合は、入力装置の表示のために大きな表示領域を用いることから、他の情報の表示領域が狭くなるという問題があった。
【０００８】
そこで、本発明は、上記従来の問題に鑑みてなされたものであり、入力装置に対する表示画面の向きを変更しても、入力装置の操作性を損なわず、また表示画面の表示領域が狭くなることがない情報端末装置を提供することを目的とする。
【０００９】
【課題を解決するための手段】
上記課題を解決するために、本発明は、入力装置本体と、入力装置本体に連結されるアームと、アーム端部に回転可能に支持された表示装置と、入力装置本体及び表示装置間で情報を伝達する情報伝達手段と、入力装置本体に対する表示装置画面の向きに応じて表示装置画面上の表示内容の向きを変更する表示制御手段とを備えている。
【００１０】
この様な構成の本発明によれば、アームを入力装置本体に突設して、表示装置をアーム端部に回転可能に支持しているので、表示装置を回転させて、入力装置本体に対する表示装置画面の向きを変更することができる。そして、表示装置画面上の表示内容の向きを表示制御手段により変更して、表示装置画面上の表示内容を入力装置と同じ向きにすることができる。このため、表示装置画面の向きを変更しても、入力装置の操作性を損なうことがない。更に、表示装置を回転させるため、入力装置を常に安定に支持して、入力装置の操作性を良好に保つことができる。また、入力装置と表示装置を別体とし、入力装置を表示装置画面に表示しないため、表示装置画面の表示領域が狭くなることがない。
【００１１】
また、本発明においては、入力装置本体に対する表示装置画面の向きを検出する検出手段を備え、表示制御手段は、検出手段の検出出力に応じて表示装置画面上の表示内容の向きを変更する。
【００１２】
これにより、表示装置画面上の表示内容の向きが自動的に変更される。
【００１３】
更に、本発明においては、アームが伸縮可能である。
【００１４】
この場合は、アームを伸長させて、表示装置を自在に回転させたり、アームを短縮させて、携帯性を向上させることができる。
【００１５】
また、本発明においては、入力装置本体と表示装置がアーム部位で脱着可能である。
【００１６】
この様に入力装置本体と表示装置がアーム部位で脱着可能であれば、複数種類の入力装置を選択的に装着して使用することができる。
【００１７】
【発明の実施の形態】
以下、本発明の実施形態を添付図面を参照して詳細に説明する。
【００１８】
図１は、本発明の情報端末装置の一実施形態を示すブロック図である。本実施形態の情報端末装置１０は、携帯用のものであり、表示処理装置１１及び入力装置１２を備えている。表示処理装置１１は、表示部１３、各種のプログラムやデータ等を記憶した記憶部１４、情報端末装置１０全体の制御を統括する演算処理装置１５、該表示処理装置１１を入力装置１２に接続するための第１及び第２接続部１６，１７、及び表示処理装置１１の向きを検出するための第１及び第２リミットスイッチ１８，１９を備えている。また、入力装置１２は、英字キー、数字キー、カーソルキー等の複数の入力キーを配列したキーボード２１、及び該入力装置１２を表示処理装置１１に接続するための接続部２２を備えている。
【００１９】
図２（ａ）及び（ｂ）は、情報端末装置１０を示す平面図及び背面図である。表示処理装置１１の表に表示部１３の画面１３ａを配置し、また入力装置１２の表にキーボード２１を配置している。更に、表示部１３の裏にアーム２３を支軸２４により回転自在に支持し、アーム２３を入力装置１２に突設されたガイド２５に出し入れ自在に挿入している。
【００２０】
図２（ａ）及び（ｂ）の状態では、表示処理装置１１の一側面１１ａが入力装置１２の一側面１２ａに当接して、表示処理装置１１が回転することはなく、表示処理装置１１の画面１３ａが縦長に配置されている。図３（ａ）に示す様にアーム２３をガイド２５から引き出して、表示処理装置１１を入力装置１２から離間させれば、図３（ｂ）及び（ｃ）に示す様に表示処理装置１１を支軸２４周りに９０度回転回転させることができる。そして、図３（ｄ）及び（ｅ）に示す様にアーム２３をガイド２５に押し込むと、表示処理装置１１の他側面１１ｂが入力装置１２の一側面１２ａに当接して、表示処理装置１１の回転が禁止され、表示処理装置１１の画面１３ａが横長に配置される。勿論、図３（ｃ）、（ｂ）、及び（ａ）という逆の操作により、表示処理装置１１の画面１３ａを縦長に戻すことができる。
【００２１】
従って、表示処理装置１１の画面１３ａを縦長及び横長のいずれにも設定することができる。
【００２２】
図４（ａ）に示す様に表示処理装置１１の一側面１１ａに第１接続部１６の各接触端子を設け、また図４（ｂ）に示す様に表示装置１１の他側面１１ｂに第２接続部１７の各接触端子を設けている。更に、図４（ｃ）に示す様に入力装置１２の一側面１２ａに接続部２２の各接触端子を設けている。
【００２３】
図２（ａ）及び（ｂ）に示す様に表示処理装置１１の一側面１１ａが入力装置１２の一側面１２ａに当接した状態では、表示処理装置１１の第１接続部１６の各接触端子が入力装置１２の接続部２２の各接触端子に接触して、第１接続部１６と接続部２２が接続され、入力装置１２のキーボード２１の操作により入力された入力情報が接続部２２及び第１接続部１６を通じて表示処理装置１１の演算処理装置１５へと伝達され、この入力情報が演算処理装置１５の表示制御により表示部１３の画面１３ａの表示内容に反映される。
【００２４】
また、図３（ｄ）及び（ｅ）に示す様に表示処理装置１１の他側面１１ｂが入力装置１２の一側面１２ａに当接した状態では、表示処理装置１１の第２接続部１７の各接触端子が入力装置１２の接続部２２の各接触端子に接触して、第２接続部１７と接続部２２が接続され、入力装置１２のキーボード２１の操作により入力された入力情報が接続部２２及び第２接続部１７を通じて表示処理装置１１の演算処理装置１５へと伝達され、この入力情報が演算処理装置１５の表示制御により表示部１３の画面１３ａの表示内容に反映される。
【００２５】
従って、表示処理装置１１の画面１３ａを縦長及び横長のいずれに設定したとしても、入力装置１２のキーボード２１の操作により入力された入力情報が表示処理装置１１の演算処理装置１５へと伝達され、この入力情報が表示部１３の画面１３ａの表示内容に反映される。
【００２６】
図５（ａ）、（ｂ）、及び（ｃ）は、情報端末装置１０を示す背面図、（ａ）のＡ−Ａに沿う断面図、及び（ａ）のＢ−Ｂに沿う断面図である。図５から明らかな様に表示処理装置１１の背面には、支軸２４の外周に沿う円弧状のガイド溝２６を形成し、ガイド溝２６の両端に第１及び第２リミットスイッチ１８，１９を設けている。また、アーム２３には、ガイド溝２６に入る突起２３ａを設けている。アーム２３の突起２３ａは、表示処理装置１１の回転に伴い、表示処理装置１１のガイド溝２６内で移動する。
【００２７】
図２（ａ）及び（ｂ）に示す様に表示処理装置１１の一側面１１ａが入力装置１２の一側面１２ａに当接した状態では、アーム２３の突起２３ａが表示処理装置１１のガイド溝２６の一端まで移動して第１リミットスイッチ１８に接触し、第１リミットスイッチ１８がオンとなる。表示処理装置１１の演算処理装置１５は、第１リミットスイッチ１８のオンに基づいて、表示処理装置１１の画面１３ａが縦長に配置されたことを判定する。
【００２８】
また、図３（ｄ）及び（ｅ）に示す様に表示処理装置１１の他側面１１ｂが入力装置１２の一側面１２ａに当接した状態では、アーム２３の突起２３ａが表示処理装置１１のガイド溝２６の他端まで移動して第２リミットスイッチ１９に接触し、第１リミットスイッチ１９がオンとなる。表示処理装置１１の演算処理装置１５は、第２リミットスイッチ１９のオンに基づいて、表示処理装置１１の画面１３ａが横長に配置されたことを判定する。
【００２９】
図５（ｂ）及び（ｃ）に示す様に支軸２４は、アーム２３に埋設された雌型部材２４ａ、及び情報端末装置１０に固定された雄形部材２４ｂからなり、雄形部材２４ｂを雌型部材２４ａに回転自在に嵌合させたものである。情報端末装置１０は、雄形部材２４ｂと共に回転することになる。
【００３０】
図４（ａ）及び（ｃ）に示す様にアーム２３の両側にそれぞれの段差２３ｂを形成し、またガイド２５の内壁をアーム２３の各段差２３ｂに嵌合する形状として、アーム２３をガイド２５の内側に挿入し、これによりアーム２３をガタツキなく滑らかに出し入れ可能に支持している。
【００３１】
また、図６（ａ）に示す様にアーム２３の両側にそれぞれの凹部２３ｃを形成し、またガイド２５の内壁両側にそれぞれの板バネ２７を設けている。図２（ａ）及び（ｂ）に示す様に表示処理装置１１の一側面１１ａが入力装置１２の一側面１２ａに当接したときに、各板バネ２７が各凹部２３ｃに嵌合して、アーム２３が半固定される。また、アーム２３を強く押し引きすると、図６（ｂ）に示す様に各板バネ２７が変形して各凹部２３ｃから外れ、アーム２３の出し入れが可能になる。
【００３２】
尚、図３（ｄ）及び（ｅ）に示す様に表示処理装置１１の他側面１１ｂが入力装置１２の一側面１２ａに当接したときにも、各板バネ２７が嵌合する他の各凹部をアーム２３の両側に形成して、アーム２３を半固定する。
【００３３】
更に、図７に示す様に表示処理装置１１のアーム２３を入力装置１２のガイド２５から引き抜いて、入力装置１２を表示処理装置１１から離すことも可能である。そして、表示処理装置１１のアーム２３を他の入力装置１２Ａのガイド２５に挿入して、入力装置を交換する。これにより、各キーの配列等が異なる複数種類の入力装置を使い分けることができる。勿論、各入力装置のいずれも、その一側面の接続部２２、及び表示処理装置１１のアーム２３に挿入されるガイド２５を設けて、表示処理装置１１との接続を可能にしておく。
【００３４】
さて、この様な構成の情報端末装置１０においては、入力装置１２に対する表示処理装置１１の画面１３ａの向きに応じて、つまり表示処理装置１１の画面１３ａが縦長及び横長のいずれに設定されたかにより、画面１３ａ上の表示内容の向きを変更し、入力装置１２の向きと表示内容の向きを合わせている。このための制御過程を図８のフローチャートに従って述べる。
【００３５】
まず、表示処理装置１１の演算処理装置１５は、第１及び第２リミットスイッチ１８，１９を監視しており、表示処理装置１１が回転操作されると（ステップＳ１０１）、第１リミットスイッチ１８がオンとなったか否かを判定する（ステップＳ１０２）。
【００３６】
例えば、第１リミットスイッチ１８がオンとなったならば（ステップＳ１０２で「Ｙｅｓ」）、演算処理装置１５は、表示処理装置１１の画面１３ａが縦長に配置されたものとみなす。そして、演算処理装置１５は、第１リミットスイッチ１８のオン前に、表示処理装置１１の画面１３ａが横長に配置されていたか否かを判定する（ステップＳ１０３）。仮に、表示処理装置１１の画面１３ａが横長に配置されておらず、表示処理装置１１の画面１３ａが縦長に配置されていたならば（ステップＳ１０３で「Ｎｏ」）、表示処理装置１１の画面１３ａの向きが変更されなかったことになるので、次のステップＳ１０４をジャンプして、最初の状態に戻る。また、表示処理装置１１の画面１３ａが横長に配置されていたならば（ステップＳ１０３で「Ｙｅｓ」）、表示処理装置１１の画面１３ａの向きが横長から縦長に変更されたことになるので、演算処理装置１５は、表示内容の向きを縦長の画面１３ａに合わせて変更する（ステップＳ１０４）。これにより、図２（ａ）に示す様に文字や数字等が縦長の画面１３ａに対して横方向に配列表示される。
【００３７】
また、第１リミットスイッチ１８がオンとならなかったならば（ステップＳ１０２で「Ｎｏ」）、演算処理装置１５は、第２リミットスイッチ１９がオンとなったか否かを判定する（ステップＳ１０５）。
【００３８】
第２リミットスイッチ１９がオンとなったならば（ステップＳ１０５で「Ｙｅｓ」）、演算処理装置１５は、表示処理装置１１の画面１３ａが横長に配置されたものとみなす。そして、演算処理装置１５は、第２リミットスイッチ１９のオン前に、表示処理装置１１の画面１３ａが縦長に配置されていたか否かを判定する（ステップＳ１０６）。仮に、表示処理装置１１の画面１３ａが縦長に配置されておらず、表示処理装置１１の画面１３ａが横長に配置されていたならば（ステップＳ１０６で「Ｎｏ」）、表示処理装置１１の画面１３ａの向きが変更されなかったことになるので、次のステップＳ１０７をジャンプして、最初の状態に戻る。また、表示処理装置１１の画面１３ａが縦長に配置されていたならば（ステップＳ１０６で「Ｙｅｓ」）、表示処理装置１１の画面１３ａの向きが縦長から横長に変更されたことになるので、演算処理装置１５は、表示内容の向きを横長の画面１３ａに合わせて変更する（ステップＳ１０７）。これにより、図３（ｅ）に示す様に文字や数字等が横長の画面１３ａに対して横方向に配列表示される。
【００３９】
この様に入力装置１２に対する表示処理装置１１の画面１３ａの向きに応じて画面１３ａ上の表示内容の向きを変更し、入力装置１２の向きと表示内容の向きを合わせているので、表示処理装置１１の画面１３ａの向きを変更しても、入力装置１２の操作性を損なうことがない。
【００４０】
尚、本発明は、上記実施形態に限定されるものではなく、多様に変形することができる。例えば、表示処理装置１１の第１及び第２接続部１６，１７、及び入力装置１２の接続部２２を省略し、この代わりに、図９に示す様に表示処理装置１１Ｂに無線受信部３１を設けると共に、入力装置１２Ｂに無線送信部３２を設け、入力装置１２Ｂのキーボード２１の操作により入力された入力情報を無線送信部３２から表示処理装置１１Ｂの無線受信部３１へと送受し、この入力情報を無線受信部３１から演算処理装置１５へと伝達しても良い。また、第１及び第２リミットスイッチ１８，１９を省略し、この代わりに、入力装置１２のキーボード２１の操作等により画面１３ａ上の表示内容の向きを指示し、この指示に応答して演算処理装置１５が表示内容の向きを変更しても構わない。
【００４１】
【発明の効果】
以上説明した様に本発明によれば、表示装置を回転させて、入力装置本体に対する表示装置画面の向きを変更したときには、表示装置画面上の表示内容の向きを変更して、表示内容を入力装置と同じ向きにしている。このため、表示装置画面の向きを変更しても、入力装置の操作性を損なうことがない。また、表示装置を回転させるため、入力装置を常に安定に支持して、入力装置の操作性を良好に保つことができる。更に、入力装置と表示装置を別体とし、入力装置を表示装置画面に表示しないため、表示装置画面の表示領域が狭くなることがない。
【００４２】
また、表示装置を伸縮可能なアーム端部に支持しているため、携帯性を向上させることができる。更に、入力装置本体と表示装置がアーム部位で脱着可能であるから、複数種類の入力装置を選択的に装着して使用することができる。
【図面の簡単な説明】
【図１】本発明の情報端末装置の一実施形態を示すブロック図である。
【図２】（ａ）及び（ｂ）は、図１の情報端末装置を示す平面図及び背面図である。
【図３】（ａ）〜（ｅ）は、図１の情報端末装置の操作過程を示す図である。
【図４】（ａ）及び（ｂ）は図１の情報端末装置における表示処理装置の各側面を示す図であり、（ｃ）は図１の情報端末装置における入力装置の側面を示す図である。
【図５】（ａ）は図１の情報端末装置を示す背面図、（ｂ）は（ａ）のＡ−Ａに沿う断面図、（ｃ）は（ａ）のＢ−Ｂに沿う断面図である。
【図６】（ａ）及び（ｂ）は、図１の情報端末装置におけるアーム及びガイドを示す断面図である。
【図７】図１の情報端末装置における表示処理装置と入力装置を離した状態を示す図である。
【図８】図１の情報端末装置による制御過程を示すフローチャートである。
【図９】図１の情報端末装置の変形例を示すブロック図である。
【符号の説明】
１０  情報端末装置
１１  表示処理装置
１２  入力装置
１３  表示部
１４  記憶部
１５  演算処理装置
１６  第１接続部
１７  第２接続部
１８  第１リミットスイッチ
１９  第２リミットスイッチ
２１  キーボード
２２  接続部
２３  アーム
２４  支軸
２５  ガイド
２６  ガイド溝
２７  板バネ
【図１】
2004199278.tif 000003
【図２】
2004199278.tif 000004
【図３】
2004199278.tif 000005
【図４】
2004199278.tif 000006
【図５】
2004199278.tif 000007
【図６】
2004199278.tif 000008
【図７】
2004199278.tif 000009
【図８】
2004199278.tif 000010
【図９】
2004199278.tif 000011